(57)【要約】【課題】遊技情報表示装置に複数種類の遊技情報を一括表示し、且つ遊技者側に対して別個の表示であることを明確にすることができるとともに、遊技情報表示装置を制御する制御手段を集約することにより、部品点数を削減して製造コストを削減することができる弾球遊技機を提供する。【解決手段】所定の遊技情報を表示する遊技情報表示装置１１と、該遊技情報表示装置による表示領域への表示を制御する遊技情報表示制御手段１２とを備えた遊技機において、前記遊技情報表示装置１１は、その表示領域が少なくとも第１表示領域１１ａと、第２表示領域１１ｂとに区画されるとともに、境界手段１７により第１表示領域と第２表示領域との境界部ａを遊技者から視認し難くし、且つ、当該境界手段が移動可能とされたものである。【選択図】図５
2006081940.tif 000002
【特許請求の範囲】
【請求項１】
所定の遊技情報が表示される表示領域を有する遊技情報表示装置と、
該遊技情報表示装置による表示領域への表示を制御する遊技情報表示制御手段と、
を備えた弾球遊技機において、
前記遊技情報表示装置は、その表示領域が少なくとも第１表示領域と、第２表示領域とに区画されるとともに、当該遊技情報表示装置の前面側には、前記第１表示領域と第２表示領域との境界部に沿って延び、該境界部を遊技者から視認し難くするための境界手段が設けられ、当該境界手段が移動可能とされたことを特徴とする弾球遊技機。
【請求項２】
前記境界手段は、表示領域の変化に合わせて移動して、当該表示領域の境界部を覆うことを特徴とする請求項１記載の弾球遊技機。
【請求項３】
前記遊技情報表示装置の前面側を囲む表示装置カバー手段を備え、該表示装置カバー手段に前記境界手段が設けられるとともに、当該境界手段は、前記表示装置カバー手段に対して脱着可能とされたことを特徴とする請求項１又は請求項２記載の弾球遊技機。
【発明の詳細な説明】
【技術分野】
【０００１】
本発明は、遊技情報を表示可能な少なくとも２つの表示領域を有する遊技情報表示装置を具備した弾球遊技機に関する。
【背景技術】
【０００２】
一般に、パチンコ遊技機の遊技領域には、所定の遊技情報を可変表示可能な液晶表示装置やＣＲＴ表示装置等の遊技情報表示装置が設けられており、例えば遊技球の始動口への入賞等、始動条件の成立に基づき、当該遊技情報表示装置に図柄等を可変表示させ、その可変表示が停止したときの停止状態が予め定められた特定の図柄又はその組み合わせであれば、大当たり状態として遊技者に有利な状態を発生させている。
【０００３】
かかる遊技情報表示装置で可変表示される図柄は、例えば特定図柄（始動口への入賞を条件に可変表示される３つの図柄の組み合わせ等）や普通図柄（ゲートへの入賞を条件に可変表示される１つの図柄等）が挙げられ、従来の多くのパチンコ遊技機においては、それらは各々別個の遊技情報表示装置にて表示されていた。尚、特定図柄が表示されるものをメインデジタル、普通図柄が表示されるものをサブデジタルと呼ぶこともある。かかる先行技術は、文献公知発明に係るものでないため、記載すべき先行技術文献情報はない。
【発明の開示】
【発明が解決しようとする課題】
【０００４】
しかしながら、上記従来の弾球遊技機においては、その遊技情報表示装置が遊技情報を複数種表示させる場合、各々別個のものが用いられていたため、それぞれの遊技情報の表示を制御する制御手段が複数となり、部品点数増加に伴う製造コストの悪化や弾球遊技機に設置される各種機器のレイアウトの制約、及びメンテナンス時における作業性の悪化等が生じる虞があった。
【０００５】
一方、一つの画面に複数の遊技情報を一括表示させることも考え得るが、この場合、従来の弾球遊技機に見慣れた遊技者にとっては、特定図柄と普通図柄の表示手段は別個に設けられているのが普通であるため、外観上違和感が大きくなってしまうとともに意匠上もあまり好ましくなく、また、遊技者から視認し難いという問題もあった。例えば、特定図柄を可変表示するメインデジタルと普通図柄を可変表示するサブデジタルとは別個の表示手段であるのが外観上好ましいという意見もある。
【０００６】
本発明は、このような事情に鑑みてなされたもので、遊技情報表示装置に複数種類の遊技情報を一括表示し、且つ遊技者側に対して別個の表示であることを明確にすることができるとともに、遊技情報表示装置を制御する制御手段を集約することにより、部品点数を削減して製造コストを削減することができる弾球遊技機を提供することにある。
【課題を解決するための手段】
【０００７】
請求項１記載の発明は、所定の遊技情報が表示される表示領域を有する遊技情報表示装置と、該遊技情報表示装置による表示領域への表示を制御する遊技情報表示制御手段とを備えた弾球遊技機において、前記遊技情報表示装置は、その表示領域が少なくとも第１表示領域と、第２表示領域とに区画されるとともに、当該遊技情報表示装置の前面側には、前記第１表示領域と第２表示領域との境界部に沿って延び、該境界部を遊技者から視認し難くするための境界手段が設けられ、当該境界手段が移動可能とされたことを特徴とする。
【０００８】
かかる構成によれば、第１表示領域及び第２表示領域におけるそれぞれの表示が遊技情報表示制御手段で集約的に制御されるとともに、それら第１表示領域と第２表示領域との境界部が境界手段によって遊技者から視認され難く構成されている。表示領域における第１表示領域と第２表示領域との区画は、上下或いは左右に区画しても、その他の可能な区画（表示領域の斜め方向等）としてもよい。更に一つの表示領域を３つ以上に区画してそれぞれに所定の遊技情報を表示させるものも含み、この場合、それぞれの境界部の全て又は特定の境界部に境界手段が設けられることとなる。
【０００９】
請求項２記載の発明は、請求項１記載の弾球遊技機において、前記境界手段は、表示領域の変化に合わせて移動して、当該表示領域の境界部を覆うことを特徴とする。
【００１０】
請求項３記載の発明は、請求項１又は請求項２記載の弾球遊技機において、前記遊技情報表示装置の前面側を囲む表示装置カバー手段を備え、該表示装置カバー手段に前記境界手段が設けられるとともに、当該境界手段は、前記表示装置カバー手段に対して脱着可能とされたことを特徴とする。
【発明の効果】
【００１１】
請求項１の発明によれば、遊技情報表示装置に複数種類の遊技情報を一括表示し、且つ遊技者側に対して別個の表示であることを明確にすることができるとともに、遊技情報表示装置を制御する制御手段を集約することにより、部品点数を削減して製造コストを削減することができる。
【発明を実施するための最良の形態】
【００１２】
以下、本発明の実施形態について図面を参照しながら具体的に説明する。
本実施形態に係る弾球遊技機は、図１に示すように、当該弾球遊技機１の全面側に固定された遊技盤２を有し、操作ハンドル３の操作で駆動する打球発射装置（不図示）によって発射される打球（遊技球）がガイドレール４により案内され、当該遊技盤の遊技領域５に達するよう構成されている。
【００１３】
遊技盤２における遊技領域５には、回転自在に複数個配設された風車と呼ばれる打球誘導方向変換部材７や複数の障害釘、各種入賞手段が適宜配設されるとともに、当該遊技領域６下部には、いずれの入賞手段にも入賞しなかった遊技球が入り得るアウト穴６が形成されている。同図に示す入賞手段において、符号７は一般入賞装置、符号８は特図始動口９を有する電動式のチューリップ（普通電動役物）、符号１０はスルーチャッカー形式のゲート（普図始動ゲート）、符号１４は大入賞口ユニットを示している。
【００１４】
また、遊技領域５の略中央には、所定の遊技情報を表示するための遊技情報表示装置１１が配設されている。この遊技情報表示装置１１は、７インチ型のＬＣＤ（液晶表示器）から成るものであり、図２に示すように、当該遊技情報表示装置１１による表示を制御する遊技情報表示制御手段１２と、遊技情報表示装置１１の前面側を囲む表示装置カバー手段１３とを有している。尚、ＬＣＤに代えて７セグメントＬＥＤやドットマトリックス式の表示器等から成る遊技情報表示装置としてもよい。
【００１５】
遊技情報表示装置１１の表示面は、第１表示領域１１ａと第２表示領域１１ｂとの２つに区画され、遊技情報表示制御手段１２により第１表示領域１１ａには特別図柄を可変表示させるとともに、第２表示領域１１ｂには普通図柄を可変表示させるよう構成されている。即ち、特図始動口９を遊技球が通過したこと（第１始動検出）を条件に、例えば第１表示領域１１ａに表示された３つの特別図柄（第１図柄）が可変表示される一方、普図始動ゲート１０を遊技球が通過したこと（第２始動検出）を条件に、例えば第２表示領域１１ｂに表示された１つの普通図柄（第２図柄）が可変表示される。
【００１６】
表示装置カバー手段１３は、役物と呼ばれる樹脂成形品から成り、４つのＬＥＤから成る特図始動記憶表示器１５と、同じく４つのＬＥＤ（特図始動記憶表示器１５のＬＥＤによる発光色とは異なる色で発光するものが好ましい）から成る普図始動記憶表示器１６とを具備して構成されている。かかる特図始動記憶表示器１５及び普図始動記憶表示器１６は、第１表示領域１１ａ又は第２表示領域１１ｂの図柄が変動している間に、遊技球が特図始動口９又は普図始動ゲート１０を何個通過したのかを表示（各最大４個）するものであり、その表示回数分だけ特別図柄又は普通図柄が変動するよう構成されている。
【００１７】
ここで、特図始動記憶表示器１５は、表示装置カバー手段１３に一体的に設けられた境界手段１７上に形成されている。この境界手段１７は、遊技情報表示装置１１及び表示装置カバー手段１３が遊技盤２に組み付けられた状態で、第１表示領域１１ａと第２表示領域１１ｂとの境界部ａに沿って延び、該境界部ａを遊技者から視認し難くするためのものであり、当該表示装置カバー手段１３の樹脂成形時に一緒に造り込むことにより形成されている。
【００１８】
上記の如き表示装置カバー手段１３及びその他の遊技球を受け入れる構成物（大入賞口ユニット１４等）は、図３に示すように、遊技盤２の所定位置に形成された取付孔内に圧入等によって固定されるとともに、表示装置カバー手段１３が圧入された取付孔に臨むように、遊技盤２の裏面側から遊技情報表示装置１１及び遊技情報表示制御手段１２が取り付けられる。
【００１９】
更に詳細に説明すると、図４に示すように、表示装置カバー手段１３は、その裏面側に延設されたリブ１３ａが遊技盤２の所定の取付孔内に嵌合して圧入されるとともに、その取付孔に臨ませつつ遊技情報表示装置１１及び遊技情報表示制御手段１２を遊技盤２の裏カバー１８に取り付けている。この裏カバー１８は、払い戻し用の遊技球を保留及び通過するための樹脂製のカバーであり、該裏カバー１８に対して遊技情報表示制御手段１２の側面に形成されたフランジ部１８を当てがった後ネジｂにて固定している。
【００２０】
このように組み付けられた遊技情報表示装置１１を、遊技者が弾球遊技機１の前面から見れば、図５に示すように、境界手段１７より下側に特定図柄を表示するメインデジタルが配設されるとともに、その上側に普通図柄を表示するサブデジタルが配設されているように見せかけることができる。
【００２１】
即ち、遊技情報表示装置１１の第１表示領域１１ａと第２表示領域１１ｂとの境界部ａの前面側が境界手段１７により覆われることとなり、かかる境界部ａが遊技者から視認し難く構成されているので、遊技者においては、これら表示領域は別個の表示装置であるかの如く認識するのである。従って、特定図柄と普通図柄の表示手段は別個に設けられている従来の弾球遊技機に見慣れた遊技者にとっても外観上の違和感がなく、意匠上も好ましいものとすることができるとともに、遊技者に対して別個の表示であることを明確にすることができる。
【００２２】
図６は上記弾球遊技機１の制御系のブロック構成を示すものであり、遊技制御装置１９は、本弾球遊技機１に必要な遊技制御を行うワンチップのマイクロコンピュータ２０と、発信器２１と、入力インターフェイス２２と、出力インターフェイス２３とから主に構成されている。かかるマイクロコンピュータ２０は、ＣＰＵ、ＲＯＭ、ＲＡＭ等を内蔵しており、ＩＣとして製造されるものである。
【００２３】
マイクロコンピュータ２０のＣＰＵは、ＲＯＭに格納された遊技プログラム及び特図始動口９に配設された特図始動センサ２４、普図始動ゲート１０に配設された普図始動センサ２５、大入賞口ユニット１４に配設されたカウントセンサ２６及び継続センサ２７等からの信号に基づいて、遊技情報表示制御手段１２に表示制御信号を送るとともに、特図始動記憶表示器１５、普図始動記憶表示器１６、電動チューリップ８を開閉させる駆動用ソレノイド２８、大入賞口ユニット１４のシャッタを開閉させる駆動用ソレノイド２９、遊技における効果音の生成及び音声合成を行う音制御装置３０、装飾用のランプや各種ＬＥＤを制御する装飾表示制御装置３１に制御信号を出力する。
【００２４】
然るに、遊技情報表示制御手段１２には、遊技制御装置１９からの表示制御信号に基づいて、遊技情報表示装置１１の第１表示領域１１ａに特別図柄を変動表示させるとともに、第２表示領域１１ｂに普通図柄を変動表示させるよう制御する。この時、境界部ａの位置と表示装置カバー手段１３における境界手段１７の位置とが略同一となるよう予め設定しておく必要がある。
【００２５】
これにより、第１表示領域１１ａ及び第２表示領域１１ｂで表示される図柄は、いずれも遊技情報表示制御手段１２によって制御されており、別個の表示装置及び制御装置が配設されたものに比べて、部品点数を削減することができる。尚、同図におけるマイクロコンピュータ２０のＣＰＵは、一定の周期毎にリセット割込を行って、その割込毎に遊技プログラムを予め定められた所定番地から実行するものである。
【００２６】
以上、本実施形態に係る弾球遊技機１について説明したが、本発明はこれに限定されるものではなく、例えば以下の如き構成とすることができる。即ち、表示装置カバー手段１３に設けられる境界手段１７は当該表示装置カバー手段１３と別体としてもよく、この場合、境界手段１７の固定位置が表示装置カバー手段１３に対して調整可能とするのが好ましい。
【００２７】
このように、境界手段１７を上下に移動可能とすれば、境界部ａの位置が変更された場合であっても、その位置に境界手段１７を移動させ、当該境界部ａの前面側を覆うようにすることができるので、表示領域の変化に合わせて境界手段１７を移動させ境界部を覆うことができる。この場合の、境界手段１７の移動手段としては、表示装置カバー手段１３との間にＬＭガイド等を設けソレノイド等汎用アクチュエータにて当該境界手段１７を移動させてもよいし、表示装置カバー手段１３のいずれの位置にも境界手段１７を脱着可能とし、所望位置に当該境界手段１７を取り付けるようにしてもよい。
【００２８】
また、図７に示すように、遊技情報表示装置１１の表示領域を透視可能であって表示装置カバー手段１３に着脱自在な窓板３２に対し境界手段３３を一体的に形成するよう構成してもよい。かかる窓板３２はガラス又は透明樹脂で構成されるのが好ましく、図８に示すように、境界手段１７を窓板３２の所定位置にインサート成形にて造り込み、一体化させてもよいが、他の方法にて窓板３２に境界手段１７を設けてもよい。勿論、この場合であっても、境界手段１７が遊技情報表示装置１１の境界部ａの前面側を覆って、当該境界部ａを遊技者から視認し難くする必要がある。尚、第１表示領域１１ａ及び第２表示領域１１ｂ毎に窓板を配設するようにしてもよい。
【００２９】
本実施形態においては、遊技情報表示装置１１における表示領域が上下に分割され境界手段が水平方向に延設されているが、本発明はこれに限定されず、図９に示すように、第１表示領域１１ａを左側、第２表示領域１１ｂを右側に設定することにより垂直方向に延設された境界部ａ’を境界手段３４で覆うよう構成してもよい。更に、遊技情報表示装置１１における矩形状、三角形状、円形状の隅部、中央下部、又は中央上部を１つの表示領域とし、その表示領域と他の表示領域の境界部に沿って境界手段を設けるよう構成してもよい。尚、遊技情報表示装置１１における表示領域を斜めに分割し、その領域の境界部に沿って境界手段を斜めに延設させてもよく、また、遊技情報表示装置１１自体を斜めに配設して、その上下を第１表示領域１１ａ及び第２表示領域１１ｂと設定するようにしてもよい。
【００３０】
尚、境界手段に特図始動記憶表示器１５が設けられているが、これに代えて、又はこれと共に普図始動記憶表示器１６や、所定の遊技情報を表示する液晶表示装置、表示灯、ドットマトリックス表示装置、７セグメント表示装置等を当該境界手段に設けるよう構成してもよい。上記の場合であって各表示装置に表示すべき所定遊技情報としては、リーチ予告、スーパーリーチ予告、大当り予告、或いは確率変動予告に関する演出表示を行ってもよく、また、大当り確率、低確率状態での大当り確率、高確率状態での大当り確率或いは確率変動継続率等を表示するよう構成してもよい。
【００３１】
また、図１０に示すように、境界手段３６の上面３６ａを遊技球が転がり得るステージとして構成してもよく、この場合、境界手段３６の両端に対応する表示装置カバー手段１３の側面に通過用孔３５を形成しておき、遊技球が当該通過用孔３５を介して境界手段３６上に達し得るよう構成する。尚、境界手段３６における上面３６ａの略中央部に同図の如き溝部３６ｂを形成するのが好ましい。かかる構成によれば、遊技領域５における遊技球が通過用孔３５を通過して境界手段３６上に至ることにより溝部３６ｂから落下し易くなっており、特図始動口９及び電動チューリップ８に入賞し易く構成することができる。
【００３２】
また更に、上記通過用孔３５を介して遊技球を境界手段３６の上面に誘導するための誘導部や境界手段３６上における遊技球の転動に変化を与えるための部材（ジャマ板等）を設けるようにしてもよく、かかる遊技球の転動に変化を与えるための部材を可動にしてもよい。このように境界手段３６の上面を遊技球が転動し得る構成の他、境界手段３６の内部における少なくとも一部に遊技球が通過可能な通過孔又は通過樋を形成してもよく、かかる通過孔又は通過樋の前面側に遊技球の通過を遊技者が視認し得る透明部材又は透視用孔（複数であってもよい）を設けて構成してもよい。
【００３３】
ここで、本実施形態及び上記他の実施形態においては、第１表示領域１１ａに第１図柄としての特別図柄（第１始動検出、即ち遊技球の特図始動口９への通過を条件に可変表示される図柄）、第２表示領域１１ｂに第２図柄としての普通図柄（第２始動検出、即ち遊技球の普図始動ゲート１０への通過を条件に可変表示される図柄）を表示することとしているが、本発明はこれに限定されず、以下の構成としてもよい。
【００３４】
例えば、第１表示領域１１ａ又は第２表示領域の少なくとも一方において、所定の演出表示や広告表示をさせるよう構成してもよい。このうち演出表示とは、演出効果を目的に表示される種々の表示をいい、例えば、所定のキャラクタを常時動画として表示させておくこともできる。また、第１表示領域１１ａ又は第２表示領域の少なくとも一方において、大当りラウンド数、特定領域通過情報、大入賞口入賞個数等の大当り中の演出表示、大当り確率、低確率状態での大当り確率、高確率状態での大当り確率、確率変動継続率、回数切り確率変動の最大回数の表示、或いは電源投入後の大当り回数・確率変動回数、大当り発生からの回転数等の表示を行うこともできる。
【００３５】
尚、このような演出表示は、特別図柄や普通図柄と連動して表示されるものであっても、これら図柄と無関係に表示されるものであってもよく、第１表示領域１１ａ又は第２表示領域のいずれかに表示される他、表示装置カバー手段１３に形成される境界手段（１７、３３、３４、３６）に液晶等の画面を形成しておき、そこで表示させるよう構成してもよい。更に、第１表示領域１１ａ及び第２表示領域の夫々にデモンストレーションを表示させたり、第１表示領域１１ａ又は第２表示領域の少なくとも一方は、他方の表示領域において複数回図柄が変動して確定表示する間に演出表示をするよう構成してもよい。このように、境界手段に各種電製品を具備させるべく、当該境界手段における内部の少なくとも一部に配線が通過可能な配線通過孔又は樋を設けるように構成してもよい。
【００３６】
ここで、本発明は、いずれの弾球遊技機に対しても適用することが可能であり、上記実施形態の如き第１種パチンコ遊技機の他、第２種及び第３種パチンコ遊技機、アレンジボール遊技機、及び雀球遊技機において配設された遊技情報表示装置に適用することもできる。例えば、アレンジボール遊技機に適用する場合、次に示すような構成とすることができる。
【００３７】
一般に、アレンジボール遊技機は、以下の如き構成要素を含む。即ち、遊技領域へ単位ゲーム毎に所定個数の遊技球を順次発射可能な発射装置と、遊技球が通過可能な複数の入球口と、該複数の入球口への遊技球の入球を夫々検出する複数の入球検出手段と、複数の入球口に対応する複数の表示部を含み、遊技球が通過した入球口に対応する表示部が遊技球の通過以前と異なる特定表示に変化する入球表示手段と、該入球表示手段の特定表示となった表示部が特定の組み合わせとなった場合にその種類に応じて所定数の遊技媒体を払い出す払出装置と、前記特定の組み合わせの種類に応じて所定の得点を表示する得点表示手段と、始動手段が遊技球を検出することを条件に１又は複数の図柄を変動表示する図柄表示手段と、該図柄表示手段に表示される停止図柄の態様が特定図柄の態様となる場合に遊技球の入賞が可能である状態に解法される特定入賞口と、前記特定入賞口内の特定領域を通過する遊技球を検出する球通過検出手段と、前記特定領域を遊技球が通過することを条件に遊技者に有利な状態を発生する特別遊技発生手段と、前記発射手段が発射する遊技球を検出する発射球検出手段と、前記発射手段が発射した遊技球のうち遊技領域まで達せずに回収された遊技球を検出する戻り球検出手段と、前記複数の入賞口及び特定入賞口のうち予め定められた入賞口に遊技球が入球することを条件に前記払出手段が前記特定の組み合わせの種類に応じて払い出す遊技媒体を増加させる払出増加手段と、前記所定個数の遊技球が前記複数の入賞口に入賞することを条件に当該ゲームを終了させ精算処理を行うゲーム精算手段とを備える。
【００３８】
そして、入賞表示手段に表示される入賞図柄、図柄表示手段に表示される誘導図柄、及び得点表示手段に表示される得点や、発射手段から発射された遊技球の数（発射球数）、入賞口への入球数、特別遊技発生手段による遊技者に有利な状態の発生の有無、及び払出増加手段による作動の有無のうち任意のものを第１表示領域及び第２表示領域にそれぞれ表示させるようにして本発明を適用させてもよい。即ち、入賞表示手段、得点表示手段、図柄表示手段で表示すべき情報やその他の各種遊技情報を各表示領域に表示させるとともに、その境界部を境界手段で覆って、遊技者側に対して別個の表示であることを明確にすることができる。
【図面の簡単な説明】
【００３９】
【図１】本発明の実施形態に係る弾球遊技機の全体模式図
【図２】本発明の実施形態に係る弾球遊技機における表示装置カバー手段、遊技情報表示装置及び遊技情報表示制御手段を示す斜視図
【図３】本発明の実施形態に係る弾球遊技機における遊技盤への各種役物及び始動ゲート等の組み付けを示す模式図
【図４】本発明の実施形態に係る弾球遊技機における表示装置カバー手段、遊技情報表示装置及び遊技情報表示制御手段が遊技盤に組み付けられた状態を示す縦断面図
【図５】本発明の実施形態に係る弾球遊技機における遊技情報表示装置を遊技者側から見た状態を示す模式図
【図６】本発明の実施形態に係る弾球遊技機における制御系を説明するためのブロック図
【図７】本発明の他の実施形態に係る弾球遊技機における表示装置カバー手段を示す斜視図
【図８】図７におけるＶＩＩＩ−ＶＩＩＩ線断面図
【図９】本発明の他の実施形態に係る弾球遊技機における遊技情報表示装置を遊技者側から見た状態を示す模式図
【図１０】本発明の他の実施形態に係る弾球遊技機における表示装置カバー手段を示す斜視図
【符号の説明】
【００４０】
１…弾球遊技機
２…遊技盤
３…操作ハンドル
４…ガイドレール
５…遊技領域
６…アウト穴
７…一般入賞装置
８…電動チューリップ
９…特図始動口
１０…普図始動ゲート
１１…遊技情報表示装置
１１ａ…第１表示領域
１１ｂ…第２表示領域
１２…遊技情報表示制御手段
１３…表示装置カバー手段
１４…大入賞口ユニット
１５…特図始動記憶表示器
１６…普図始動記憶表示器
１７、３３、３４、３６…境界手段
１８…裏カバー
１９…遊技制御装置
２０…マイクロコンピュータ
２１…発振器
２２…入力インターフェイス
２３…出力インターフェイス
２４…特図始動センサ
２５…普図始動センサ
２６…カウントセンサ
２７…継続センサ
２８…電動チューリップ８のソレノイド
２９…大入賞口ユニット１４のソレノイド
３０…音制御装置
３１…装飾表示制御装置
３２…窓板
３５…通過用孔
３６ａ…上面（ステージ）
３６ｂ…溝部
ａ…境界部
【図１】
2006081940.tif 000003
【図２】
2006081940.tif 000004
【図３】
2006081940.tif 000005
【図４】
2006081940.tif 000006
【図５】
2006081940.tif 000007
【図６】
2006081940.tif 000008
【図７】
2006081940.tif 000009
【図８】
2006081940.tif 000010
【図９】
2006081940.tif 000011
【図１０】
2006081940.tif 000012